(57)【要約】【課題】汚れ等が付着しても確実に作動するフロート弁を備えた排水フロート構造を提供すること。【解決手段】排水フロート構造を、浴槽１０に設けた排水口部材１７を開閉するための排水栓１１と、浴槽１０から排出される水を外部に送る排水管２４と、浴槽側フロア２０に設けられ排水管２４に接続された排水口２８を開閉するためのフロート弁２７とで構成した。そして、排水栓１１とフロート弁２７とを線材２９で連結して、排水栓１１が排水口部材１７を閉じたときにはフロート弁２７は排水口２８を開き、排水栓１１が排水口部材１７を開いたときにはフロート弁２７は排水口２８を閉じるようにした。また、操作スイッチ１４の操作によりレリースケーブル１５を介して排水栓１１およびフロート弁２７が作動するようにした。また、排水口部材２２に、目皿２６を設け、フロート弁２７が目皿２６に対して進退することにより、排水口部材２２が開閉するようにした。【選択図】  図２
2004169439.tif 000002
【特許請求の範囲】
【請求項１】
浴槽の底部に設けられた浴槽排水口と、前記浴槽排水口を開閉するための排水栓と、前記浴槽排水口に接続され前記浴槽から排出される水を外部に送るための排水管と、前記浴槽が設置された浴槽設置部に設けられ前記排水管に接続された設置部排水口と、前記設置部排水口を開閉するためのフロート弁と、前記排水栓と前記フロート弁とを連結して連動させるための連結部材とを備え、前記排水栓が前記浴槽排水口を閉じたときには前記フロート弁は前記設置部排水口を開き、前記排水栓が前記浴槽排水口を開いたときには前記フロート弁は前記設置部排水口を閉じるようにしたことを特徴とする排水フロート構造。
【請求項２】
前記排水栓を、ケーブルを介して駆動装置および操作スイッチに接続し、前記操作スイッチの操作による前記駆動装置の駆動により前記排水栓および前記フロート弁が作動するようにした請求項１に記載の排水フロート構造。
【請求項３】
前記浴槽設置部に、排水孔が形成された目皿を設けて、前記排水孔で前記設置部排水口を構成し、前記フロート弁を前記目皿に対して進退させることにより、前記設置部排水口を開閉するようにした請求項１または２に記載の排水フロート構造。
【請求項４】
前記目皿および前記フロート弁を、前記浴槽排水口と略同軸的に設置したリング状体で構成した請求項３に記載の排水フロート構造。
【請求項５】
前記フロート弁をシリコンゴムで構成した請求項１ないし４のうちのいずれか一つに記載の排水フロート構造。
【発明の詳細な説明】
【０００１】
【発明の属する技術分野】
本発明は、浴槽と浴槽を設置するための浴槽設置部の間に設けられ、浴槽からの排水が浴槽設置部に逆流することを防止するための排水フロート構造に関する。
【０００２】
【従来の技術】
従来から、ユニット型の浴槽の中には、浴槽側フロア等の浴槽設置用の防水パンの上面に浴槽を設置し、浴槽と浴槽側フロアとに排水のための排水フロート構造を設けたものがある（例えば、特許文献１）。このような浴室ユニットでは、浴槽の底部には、浴槽内の水を排出するための排水口が設けられており、この排水口から排出される水は排水口に接続された排水管から外部に送られる。また、浴槽側フロアには、浴槽側フロアに溜まる水を排出するための排水口が設けられており、この排水口から排出される水は排水口に接続された排水管から外部に送られる。この場合の両排水管は同じものが共用され、浴槽から排出される水と浴槽側フロアから排出される水は、同じ排水管によって外部に排出される。
【０００３】
そして、浴槽の排水口には、排水口を開閉するための排水栓が設けられ、防水パンの排水口には排水口を開閉するためのフロート弁が設けられている。このフロート弁は、水よりも比重の小さな材料で構成されており、排水管側から防水パン側に水が流れ込もうとしたときに、浮力によって上昇し防水パンの排水口を閉じる。このため、排水栓を開けて浴槽内の水を排出する際に、排水管に流れ出た水が防水パン側に流れ込もうとしても、フロート弁が排水口を閉じるため、防水パンへの水の浸入は防止される。また、排水管内の水が少量である場合には、フロート弁は自重によって下降し排水口が開くため防水パンに溜まった水は、排水口から排水管へと排出される。
【０００４】
【特許文献１】
特開２００１−２２０７９７号公報
【０００５】
【発明が解決しようとする課題】
しかしながら、前述した従来の排水フロート構造では、フロート弁に水垢等の汚れが付着して、フロート弁の作動が鈍くなったり、作動しなくなったりすることがあるという問題がある。
【０００６】
【発明の概要】
本発明は、上記問題に対処するためになされたもので、その目的は、汚れ等が付着しても確実に作動するフロート弁を備えた排水フロート構造を提供することである。
【０００７】
上記の目的を達成するため、本発明にかかる排水フロート構造の構成上の特徴は、浴槽の底部に設けられた浴槽排水口と、浴槽排水口を開閉するための排水栓と、浴槽排水口に接続され浴槽から排出される水を外部に送るための排水管と、浴槽が設置された浴槽設置部に設けられ排水管に接続された設置部排水口と、設置部排水口を開閉するためのフロート弁と、排水栓とフロート弁とを連結して連動させるための連結部材とを備え、排水栓が浴槽排水口を閉じたときにはフロート弁は設置部排水口を開き、排水栓が浴槽排水口を開いたときにはフロート弁は設置部排水口を閉じるようにしたことにある。
【０００８】
前記のように構成した本発明の排水フロート構造では、浴槽排水口を開閉するための排水栓と設置部排水口を開閉するためのフロート弁とを、連結部材で連結している。そして、浴槽排水口が閉じているときには設置部排水口は開き、浴槽排水口が開いているときには設置部排水口は閉じるようにしている。この場合、排水栓が下降しているときに浴槽排水口が閉じ、フロート弁が上昇しているときに設置部排水口が閉じるようにするか、または、排水栓が上昇しているときに浴槽排水口が閉じ、フロート弁が下降しているときに設置部排水口が閉じるようにする。
【０００９】
したがって、排水栓が浴槽排水口を閉じて浴槽内に水が保持された状態のときには、設置部排水口は開いているため、浴槽設置部に水が溜まっても、その水は設置部排水口から排水管を通って外部に排出される。この結果、汚れた水が溜まって浴槽設置部が汚れてしまうといったことを防止できる。
【００１０】
また、排水栓が浴槽排水口から外されて浴槽排水口が開き、浴槽内の水が排出されるときには、設置部排水口は閉じている。このため、浴槽から排出される水が勢いよく排水管に流れ込み、排水管から逆流して浴槽設置部に流れ込もうとしても、その水は浴槽設置部側に流れることなく排水管を通って外部に排出される。この結果、浴槽から排出された水が浴槽設置部に流れることがなくなり、浴槽設置部に流れて溢れた水で浴室からの漏水が生じるといったことを防止できる。
【００１１】
また、本発明にかかる排水フロート構造の他の構成上の特徴は、排水栓を、ケーブルを介して駆動装置および操作スイッチに接続し、操作スイッチの操作による駆動装置の駆動により排水栓およびフロート弁が作動するようにしたことにある。これによると、浴槽排水口の開閉操作が容易になる。
【００１２】
また、本発明にかかる排水フロート構造のさらに他の構成上の特徴は、浴槽設置部に、排水孔が形成された目皿を設けて、排水孔で設置部排水口を構成し、フロート弁を目皿に対して進退させることにより、設置部排水口を開閉するようにしたことにある。この場合、排水管の上方に目皿が位置し、フロート弁が目皿の下方または上方で上下移動するようになる。これによると、排水管の水が浴槽設置部側に流れ込もうとすると、フロート弁が上昇または下降して目皿の排水孔を閉じるため、排水管から浴槽設置部への排水の逆流を防止することができる。
【００１３】
また、本発明にかかる排水フロート構造のさらに他の構成上の特徴は、目皿およびフロート弁を、浴槽排水口と略同軸的に設置したリング状体で構成したことにある。これによると、浴槽排水口から出た水が、設置部排水口側に流れ込もうとした際、フロート弁の全体に略均一状態で浮力が付与されるようになるため、フロート弁が傾いたりすることなく安定した状態で移動するようになる。この結果、フロート弁による設置部排水口の閉塞が確実に行える。
【００１４】
また、本発明にかかる排水フロート構造のさらに他の構成上の特徴は、フロート弁をシリコンゴムで構成したことにある。これによると、シリコンゴムは目皿に対して密着しやすいため、フロート弁を目皿と組み合わせて使用する場合には、目皿の排水孔を確実に閉塞することができる。また、シリコンゴムは比重が小さいため、フロート弁を設置部排水口の下方に設置した場合、フロート弁は、排水の逆流に対して敏感に作動するようになり、確実な逆流防止ができる。
【００１５】
【発明の実施の形態】
以下、本発明の一実施形態を図面を用いて説明する。図１は、本発明の排水フロート構造を備えた浴槽ユニットＹを示している。この浴槽ユニットＹは、浴槽１０を備えており、浴槽１０は、本発明の浴槽設置部としての浴槽側フロア２０の上面に設置されている。そして、浴槽側フロア２０の長手方向に沿った一方の縁部には、洗い場側フロア３０が接続されている。浴槽ユニットＹを構成する浴槽１０、浴槽側フロア２０および洗い場側フロア３０の各本体部分は、それぞれ樹脂の成形体で構成されている。
【００１６】
浴槽１０の上面中央には、湯を溜めるための凹部１０ａが設けられ、その底部に凹部１０ａ内の湯や水を排出するための金属製の排水栓１１が設けられている。そして、凹部１０ａの両側面には、入浴者が、浴槽１０内から体を起すときの支えとして使用されるハンドグリップ１２ａ，１２ｂが設けられている。
【００１７】
また、浴槽１０の上面縁部１０ｂにおける一方の角部に凹部１０ａ内に湯や水を入れるための水栓１３と、排水栓１１を開閉操作するための押しボタン式の操作スイッチ１４とが設けられている。操作スイッチ１４は、図２に示したレリースケーブル１５および収容ボックス（図示せず）を介して排水栓１１に接続されている。収容ボックス内には、操作スイッチ１４の操作に応じて、排水栓１１を上下移動させるための駆動装置が収容されている。
【００１８】
また、排水栓１１が取り付けられた浴槽１０の底部には、穴部１６が設けられその穴部１６に本発明の浴槽排水口を構成する円筒状の排水口部材１７が固定されている。この排水口部材１７は、上端部の中央部が凹部１７ａに形成された段付きのフランジ状に形成されており、その凹部１７ａに対して排水栓１１が進退可能になっている。そして、排水口部材１７の下部に、排水口部材１７を浴槽側フロア２０側に接続するための接続部材１８が取り付けられている。この接続部材１８の一側部には、レリースケーブル１５を挿通させるための挿通筒１８ａが突出している。
【００１９】
浴槽側フロア２０における接続部材１８の下方の部分には、穴部２１が設けられ、この穴部２１に排水口部材２２が取り付けられている。この排水口部材２２は、略円筒状の部材で構成されており、その上端外周部に外側に延びるフランジ状突起２２ａが設けられ、下端内周部に内側に延びるフランジ状突起２２ｂが設けられている。そして、排水口部材２２は、断面形状がＵ字状で全体形状がリング状に形成されたシール２３を介して排水管２４の開口部に連結されている。
【００２０】
すなわち、このシール材２３は、穴部２１の周縁部２１ａに沿って、その周縁部２１ａの上下面および内周面を被覆するように取り付けられている。そして、シール材２３の上面にフランジ状突起２２ａの下面が押し付けられ、シール材２３の下面に排水管２４の開口縁部に設けられたフランジ状突起２４ａが押し付けられている。また、排水口部材２２の外周面と排水管２４の開口部の内周面には、互いに螺合可能なねじが設けられており、このねじの螺合により、排水口部材２２と排水管２４とはシール材２３を介して周縁部２１ａを挟んだ状態で固定されている。
【００２１】
また、排水口部材２２の内周面上部には、リング状の固定部材２５を介して、略リング状の目皿２６が取り付けられ、目皿２６内にフロート弁２７が取り付けられている。目皿２６は、円筒状の内周部２６ａおよび外周部２６ｂと、内周部２６ａおよび外周部２６ｂの上端部間に形成された上面部２６ｃとで構成されており、上面部２６ｃには、図３に示すように、一定間隔で、本発明の設置部排水口である複数の排水孔２８が形成されている。
【００２２】
また、内周部２６ａの下端内周面には円周に沿ってフランジ状の小突起２６ｄが設けられており、この小突起２６ｄと上面部２６ｃとの間で、図４に示したフロート弁２７が上下移動可能に収容されている。なお、排水口部材２２と固定部材２５および固定部材２５と目皿２６は、それぞれねじの螺合によって互いに連結されている。
【００２３】
フロート弁２７は、外径が目皿２６の外周部２６ｂの内径よりもやや小さく、内径が内周部２６ａの外径よりもやや大きく設定されたリング状に形成され、比重が水の比重よりも小さなシリコンゴムで構成されている。また、フロート弁２７の下面には、所定間隔で、本発明の連結部材である複数の略Ｌ字状の線材２９が連結されており、その線材２９の他端は、排水栓１１の下面に連結されている。したがって、フロート弁２７は、排水栓１１の上下移動に連動して目皿２６内で上下移動する。
【００２４】
この際、フロート弁２７が上昇すると、排水孔２８は閉塞されて、浴槽側フロア２０と排水管２４とは遮断され、フロート弁２７が下降すると、排水孔２８は開放されて、浴槽側フロア２０と排水管２４とは連通する。したがって、フロート弁２７が下降した状態では、浴槽側フロア２０に溜まった水は排水孔２８から排水管２４に排出される。この排水管２４は、洗い場側フロア３０に設けられた排水口の下方を通過して外部に延びており、洗い場側フロア３０で使用される湯や水も排水管２４を通って外部に排出される。
【００２５】
浴槽側フロア２０と洗い場側フロア３０との対向する縁部には、互いに係合できる係合片（図示せず）が上方に向って設けられており、この係合片を係合させることによって、浴槽側フロア２０と洗い場側フロア３０は接続されている。そして、洗い場側フロア３０の所定部分に、穴部３１が設けられ、この穴部３１に排水口を構成する排水口部材３２が取り付けられている。この排水口部材３２は、排水口部材２２と略同様の形状に形成されており、シール材２３と同様の構成からなるシール材３３を介して排水管２４の上部開口部に設けられた固定部材２４ｂにねじの螺合によって連結されている。そして、排水口部材３２の下面に設けられた穴部に、水を通過させる挿通孔を有する金属製の挿通板３４が着脱可能に取り付けられている。
【００２６】
この構成において、入浴のために、浴槽１０内に湯を入れる場合には、まず、操作スイッチ１４を押して、駆動装置を作動させることにより、排水栓１１を下降させる。これによって、排水栓１１は、図２に実線で示した状態になり、排水口部材１７は閉塞状態になる。この場合、フロート弁２７も排水栓１１とともに、下降して、目皿２６の排水孔２８は開放状態になる。ついで、水栓１３の給湯操作部１３ａと給水操作部１３ｂとを開閉調節して、適温の湯を凹部１０ａ内に入れ、湯面が適当な高さになったときに給湯を停止して入浴する。
【００２７】
そして、洗い場で、洗髪や体の洗浄をして、湯や水を使用した場合には、その使用後の湯や水は、排水口部材３２の穴部から排水管２４内に流れ、排水管２４を通過して外部に排出される。また、浴槽側フロア２０側に湯や水が浸入した場合には、その湯や水は、排水孔２８から排水管２４内に流れ、洗い場の湯や水と同様、外部に排出される。
【００２８】
入浴後に、凹部１０ａ内の湯または水を排出する場合には、再度、操作スイッチ１４を押す。これによって、駆動装置が作動して、排水栓１１が上昇し、図２に二点鎖線で示した状態になる。その結果、排水口部材１７は開放状態になり、凹部１０ａ内の湯または水は、排水口部材１７の穴部から排水管２４に流れ、排水管２４を通過して外部に排出される。
【００２９】
その際、多量の湯または水が一度に排水管２４内に流れるため、逆流が生じて、浴槽側フロア２０側に浸入しようとしても、排水孔２８がフロート弁２７によって閉塞されているため、浴槽側フロア２０側への湯または水の浸入は防止される。この結果、浴槽１０から排出される湯または水は、排水管２４の形状や穴径に応じた量にしたがって徐々に排出される。そして、排水が終了すると、再度、操作スイッチ１４を押す。これによって、排水栓１１は閉じる。
【００３０】
このように、本発明にかかる排水フロート構造では、排水栓１１とフロート弁２７とが線材２９によって連結されているため、連動して上下移動する。したがって、フロート弁２７の周囲に水垢等が溜まって付着しても、フロート弁２７は、操作スイッチ１４の操作による排水栓１１の作動にしたがって確実に作動する。この結果、フロート弁２７が作動不良を起こして浴槽側フロア２０に排水が流れてしまうといったことが生じなくなる。これによって、排水の浸入により、浴槽側フロア２０が汚れたり、浴室に漏水が生じたりすることを防止できる。
【００３１】
また、本発明による排水フロート構造は、前述した実施形態以外についても技術的範囲内で適宜変更実施が可能である。例えば、前述した実施形態では、排水栓１１が下降しているときに排水口部材１７が閉塞状態になり、上昇しているときに排水口部材１７が開放状態になるようにしているが、これを逆にして、排水栓１１が上昇しているときに排水口部材１７が閉塞状態になり、下降しているときに排水口部材１７が開放状態になる構造にすることもできる。
【００３２】
この場合、フロート弁２７は、目皿２６の上方に設置して、フロート弁２７が下降しているときに排出孔２８が閉塞状態になり、上昇しているときに排出孔２８が開放状態になるようにする。また、この場合の線材２９は、排出孔２８内を挿通して目皿２６の上面に延びるようにする。また、前述した実施形態では、排水栓１１の開閉操作を操作スイッチ１４で行うようにしているが、この開閉操作を手で行うようにすることもできる。この場合、排水栓１１を引っ張るための鎖等を連結しておく。
【００３３】
さらに、前述した実施形態では、連結部材を線材２９で構成しているが、この連結部材としては、水を通過させる多数の孔等を有する円筒体を用いることができ、それ以外のものであっても、排水栓１１と連動して移動させることのできる連結部材であれば何でも使用することができる。また、それ以外の部材についても同様の作用効果を奏することのできるものであれば置き換えて使用したり設計変更したりすることができる。
【図面の簡単な説明】
【図１】本発明の一実施形態による排水フロート構造を備えた浴槽ユニットを示した斜視図である。
【図２】排水フロート構造を示した縦断面図である。
【図３】目皿を示した斜視図である。
【図４】フロート弁を示した斜視図である。
【符号の説明】
１０…浴槽、１１…排水栓、１４…操作スイッチ、１５…レリースケーブル、１６，２１…穴部、１７，２２…排水口部材、２０…浴槽側フロア、２４…排水管、２６…目皿、２７…フロート弁、２８…排水孔、２９…線材。
【図１】
2004169439.tif 000003
【図２】
2004169439.tif 000004
【図３】
2004169439.tif 000005
【図４】
2004169439.tif 000006